(57)【要約】【課題】使用者の負担が小さく短時間で作動させることができる気道確保装置を提供する。【解決手段】仰向けに寝かされた被救護者２の後頭部５を支持する後頭部支持部７と、後頭部５が後頭部支持部７に支持された被救護者２の側頭部８を押圧する側頭部押圧部９とが設けられた本体部６と、本体部６に連結され被救護者２の背部１０を支持する背部支持台１１とを備えた気道確保装置１において、側頭部押圧部９は、側頭部８に当接する当接部材４０と外側の端面にノッチ４７が形成され当接部材４０が取り付けられる一対のブラケット４１，４１とを備えており、ブラケット４１，４１は側頭部８から離れる方向に付勢された状態で平行クランク機構を介して本体部６に連結され、本体部６に移動可能に支持された調節金具５２がノッチ４７に嵌合して固定される。【選択図】図４
2014144090.tif 000002
【特許請求の範囲】
【請求項１】
仰向けに寝かされた被救護者の後頭部を支持する後頭部支持部と、
後頭部が後頭部支持部に支持された被救護者の左右の側頭部を押圧する側頭部押圧部とが設けられた本体部と、
本体部に連結され被救護者の後背部を支持する後背部支持部とを備えた気道確保装置において、
側頭部押圧部は、側頭部に当接する当接部材と外側の端面にノッチが形成され当接部材が取り付けられる一対のブラケットとを備えており、ブラケットは側頭部から離れる方向に付勢された状態で平行クランク機構を介して本体部に連結され、本体部に移動可能に支持された調節金具がノッチに嵌合して固定されることを特徴とする気道確保装置。
【請求項２】
後頭部支持部は、平行クランク機構を介して本体部に連結され後頭部を載置する載置部材と、本体部に移動可能に取り付けられ載置部材を保持する保持部材とを備えており、載置部材は保持部材に形成されたノッチに嵌合して固定されることを特徴とする請求項１に記載の気道確保装置。
【請求項３】
後背部支持部を本体部に連結する連結部材は伸縮自在であることを特徴とする請求項１または２に記載の気道確保装置。
【発明の詳細な説明】
【技術分野】
【０００１】
本発明は、意識障害あるいは呼吸停止が生じた場合などに気道確保するための気道確保装置に関するものである。
【背景技術】
【０００２】
特許文献１に記載の気道確保補助具は、上部が開口した箱状に形成された筐体を備え、上背部支持部材の上面に設置され被救護者の上背部を支持する上背部支持マットと、上背部支持マットに設置されヒトの後頸部を持ち上げて支持する頸部支持部材と、仰向けに寝ている被救護者の側頭部を筐体の箱内で左右から押圧して頭部を固定する側頭部固定具とを備えている。
【０００３】
上背部支持部材と上背部支持マットとの間には、角度微調整エアマットが挟入されており、エアチューブを介して接続された送気球から角度微調整エアマットに空気が送られて、上背部支持マットの高さが調整される。側頭部固定具は、ヒトの左右の側頭部にそれぞれ当接させる押圧クッションを備えており、押圧クッションは、送気球が接続されたエアシリンダによって押圧される。
【先行技術文献】
【特許文献】
【０００４】
【特許文献１】特開２０１１−１１５５４９号公報
【発明の概要】
【発明が解決しようとする課題】
【０００５】
特許文献１に記載の気道確保補助具では、上背部支持マットの高さ調整を行い、あるいは側頭部固定具の押圧クッションを押圧するために、送気球を連続して圧縮しなければならず、時間が掛かるとともに使用者の負担が大きいという問題があった。
【０００６】
本発明の目的は、使用者の負担が小さく短時間で作動させることができる気道確保装置を提供することである。
【課題を解決するための手段】
【０００７】
この課題を解決するために請求項１に係る発明は、仰向けに寝かされた被救護者の後頭部を支持する後頭部支持部と、後頭部が後頭部支持部に支持された被救護者の左右の側頭部を押圧する側頭部押圧部とが設けられた本体部と、本体部に連結され被救護者の後背部を支持する後背部支持台とを備えた気道確保装置において、側頭部押圧部は、側頭部に当接する当接部材と外側の端面にノッチが形成され当接部材が取り付けられる一対のブラケットとを備えており、ブラケットは側頭部から離れる方向に付勢された状態で平行クランク機構を介して本体部に連結され、本体部に移動可能に支持された調節金具がノッチに嵌合して固定されることを特徴とするものである。
【０００８】
請求項２の発明では、後頭部支持部は、平行クランク機構を介して本体部に連結され後頭部を載置する載置部材と、本体部に移動可能に取り付けられ載置部材を保持する保持部材とを備えており、載置部材は保持部材に形成されたノッチに嵌合して固定されることを特徴とするものである。
【０００９】
請求項３の発明では、後背部支持台を本体部に連結する連結部材は伸縮自在であることを特徴とするものである。
【発明の効果】
【００１０】
請求項１の発明によれば、被救護者の後頭部が後頭部支持部に支持され、被救護者の後背部が後背部支持部に支持された状態で調節金具を操作して、一定の姿勢を保ったまま円弧状の軌跡を描いて移動する当接部材の位置を任意に設定することができるので、使用者の負担が小さく短時間で気道確保装置を作動させることができる。
【００１１】
請求項２記載の発明によれば、保持部材を移動させることによって、載置部材は一定の姿勢を保ったまま円弧状の軌跡を描いて移動するので、被救護者の体格に合わせて載置部材の高さを任意に設定することができる。
【００１２】
請求項３記載の発明によれば、被救護者の体格に合わせて後背部支持台の位置を任意に設定することができる。
【図面の簡単な説明】
【００１３】
【図１】本発明の一実施形態に係る気道確保装置の断面図である。
【図２】同側頭部押圧部で被救護者の側頭部を押圧した状態の断面図である。
【図３】同気道確保装置の側面図である。
【図４】同気道確保装置に被救護者が仰向けに寝かされた状態の断面図である。
【図５】同連結部材の平面図である。
【図６】同保持部材の正面図である。
【図７】同保持部材の下面図である。
【発明を実施するための形態】
【００１４】
以下、本発明の一実施の形態について図１〜図７に基づいて説明する。なお、本実施の形態の説明において、気道確保装置１の前部とは仰向けに寝かされた被救護者２の頭頂部側をいい、気道確保装置１の後部とは仰向けに寝かされた被救護者２の胴部側をいうものとする。
【００１５】
気道確保装置１は、仰向けに寝かされた被救護者２の後頭部５を収容可能な本体部６を備えている。本体部６は、たとえば金属板を用いて形成され、上方に開口した略コの字状の断面を有している。本体部６には、被救護者２の後頭部５を支持する後頭部支持部７と、後頭部５が後頭部支持部７に支持された状態で被救護者２の側頭部８を押圧する側頭部押圧部９とが設けられる。本体部６の後部には被救護者２の背部１０を支持する背部支持台１１が設けられる。
【００１６】
後頭部支持部７は、平行クランク機構を介して本体部６に連結されて後頭部５を載置する載置部材１５と、本体部６に移動可能に取り付けられ載置部材１５を保持する保持部材１６とを備える。保持部材１６は載置部材１５の両側に設けられる。載置部材１５は平板の両端が下方に折り曲げられた載置板１７と載置板１７の両側面に取り付けられる部材１８とを備えており、２つの連結部材１９を介して本体部６の底部壁２０に取り付けられた押さえ金具２１に回動可能に支持されている。
【００１７】
連結部材１９は、金属製の丸棒がコの字状に折り曲げられ、コの字を形成する底辺２２から立ち上がった両側辺２３の端部が内側に折り返されて嵌合辺２４が形成されている。嵌合辺２４が部材１８の孔部２７に嵌め込まれ、底辺２２が押さえ金具２１によって本体部６に支持される。
【００１８】
保持部材１６はコの字の断面を有しており、載置部材１５の左右両側に設置される。保持部材１６の内側側面３０にはノッチ３１が形成されている。ノッチ３１は前方に向かって高くなるように斜めに形成されており、ノッチ３１には円弧状の凹部３２が連続して形成されている。載置部材１５の部材１８，１８間には丸棒３３が挿通されており、丸棒３３の両端部がノッチ３１の凹部３２に嵌合している。保持部材１６は、底部壁３４に形成された前後方向に細長な長孔３５を用いて、本体部６の底部壁２０に摺動可能にねじ止めされている。２つの保持部材１６の前端は丸棒３６で連結されており、使用者はこの丸棒３６を持って保持部材１６を前後に摺動させて載置部材１５の高さを調整可能である。
【００１９】
側頭部押圧部９は、本体部６の底部壁２０の両端部から立ち上がる側部壁３９の内面に設けられ、被救護者２の後頭部５が後頭部支持部７に支持された状態で側頭部８を押圧して頭部３を固定する。側頭部押圧部９は、被救護者２の側頭部８に当接する当接部材４０と、当接部材４０が取り付けられるブラケット４１と、ブラケット４１を本体部６に対して揺動可能に連結する連結部材４２と、連結部材４２をブラケット４１に回動可能に支持する第１支持金具４３と、連結部材４２を本体部６に回動可能に支持する第２支持金具４４とを左右両側に備えている。なお、第２支持金具４４は、取り付け座４５を介して本体部６に取り付けられている。
【００２０】
当接部材４０は、たとえば軟質ウレタンフォームを用いて断面が略楕円状に形成され、ブラケット４１にねじ止めされる。ブラケット４１は、たとえば金属板を曲げ加工して形成され、外側に開口した略コの字状の断面を有している。ブラケット４１の上部壁４６は後方に向かって幅広となるように外側の端面が斜めに傾斜しており、この端面にはノッチ４７が設けられている。ノッチ４７には円弧状の凹部４８が連続して複数個所に形成されており、凹部４８には後述の調節金具５２が嵌合する。
【００２１】
連結部材４２は、金属製の丸棒がコの字状に折り曲げられ、さらにコの字を形成する底辺５３から立ち上がった両側辺５４の端部が内側に折り返されて嵌合辺５５が形成されている。第１支持金具４３は、たとえば金属板をＬ字状に折り曲げて形成されており、ブラケット４１の両端部に各々ねじ止めされる。連結部材４２の嵌合辺５５は、上下に一定のピッチＰで第１支持金具４３に回動自在に嵌合される。
【００２２】
第２支持金具４４は、金属板を曲げ加工して形成され、Ｕ字状の凹部５６が上下方向に２つ形成されている。凹部５６のピッチは第１支持金具のピッチＰと同一である。第２支持金具４４は、連結部材４２の底辺５３が凹部５６に嵌合された状態で取り付け座４５にねじ止めされ、取り付け座４５は本体部６にねじ止めされる。
【００２３】
２つの連結部材４２と第１支持金具４３と第２支持金具４４とで平行クランク機構が構成されており、第１支持金具４３がねじ止めされたブラケット４１は一定の角度を保ったまま円弧運動する。
【００２４】
調節金具５２は、使用者が摘む摘み片５９と、ブラケット４１のノッチ４７に嵌合する嵌合片６０とを備えており、本体部６の側部壁３９に形成された水平方向の長孔６１に沿って摺動可能である。嵌合片６０には丸棒６２が設けられており、ばね付勢されたブラケット４１の端面に形成されたノッチ４７の凹部４８にこの丸棒６２が嵌合している。使用者は調節金具５２の摘み片５９を動かして、ノッチ４７の任意の凹部４８に丸棒６２を嵌合させて当接部材４０の位置を細かく調整することができる。
【００２５】
第１支持金具４３に支持された連結部材４２の嵌合辺５５には、ねじりコイルばね６１が装着されており、このねじりコイルばね６１によってばね付勢されたブラケット４１は、ノッチ４７が丸棒６２に圧接した安定した状態で支持される。
【００２６】
使用者が調節金具５２をノッチ４７の後部側に引くと、ブラケット４１は側頭部８に接近するように本体部７の内側に移動するとともに、円弧状の軌跡を描いて下方向に移動する。このように、リンク長さが等しい連結部材４２，４２が用いられ、連結部材４２，４２が嵌合される第１支持金具４３のピッチＰと第２支持金具４４の凹部５６のピッチＰとが同一とされて平行クランク機構を構成するので、ブラケット４１に固定された当接部材４０は、一定の姿勢を保った状態で円弧状の軌跡を描いて上下方向に移動可能である。
【００２７】
図２は、側頭部押圧部９が大人の側頭部８を押圧した状態と、側頭部押圧部９が子供の側頭部８を押圧した状態とを左右に示している。被救護者１が大人の場合には、調節金具５２が頂頭部側に位置した状態で、左右の当接部材４０，４０の間隔が比較的広くかつ、左右の当接部材４０，４０を比較的高い位置に保持して被救護者２の側頭部８を確実に押圧可能である。被救護者１が子供の場合には、調節金具５２を大きく後部側に引くことによって、左右の当接部材４０，４０間の間隔が比較的狭くかつ、左右の当接部材４０，４０を比較的低い位置に保持して被救護者２の側頭部８，８を確実に押圧可能である。
【００２８】
本体部６の後方に設けられる背部支持台１１は、被救護者２の背部１０を支持する背部支持面６５を備えている。背部支持面６５は前方が高くなった傾斜面であり、背部支持台１１の前部端面には蝶番６６を介して丸棒６７が左右に取り付けられている。丸棒６７は、本体部６の後端部６８とブラケット６９とに形成された丸孔に挿通されている。
【００２９】
気道確保装置１が収納されている状態では、蝶番６６が本体部６の後端部６８に当接し丸棒６７が本体部６に収容され、背部支持台１１は本体部６の下面側に当接した状態で後端部に設けられた留め金具７１が本体部６の前端部７２に係止されている。背部支持台１１を使用する場合には、留め金具７１が外された背部支持台１１が、本体部６の後方に回動された後に引き出される。背部支持台１１は被救護者２の体格に合わせて適当な位置まで引き出される。
【００３０】
ここで気道確保装置１の動作について説明する。背部支持台１１は留め金具７１が外され、本体部６の後方に回動された後に引き出される。背部支持台１１は被救護者２の体格に合わせて適当な位置まで引き出され、仰向けに寝かされた被救護者２の背部１０が背部支持台１１に支持される。さらに、保持部材１６を連結する丸棒３６を持って保持部材１６を前後に移動させて載置部材１５を適当な高さに調整する。
【００３１】
そして、調節金具５２をねじりコイルばね６１の力に抗して後方に向かって徐々に動かしていき、当接部材４０を本体部６の内側に接近するように移動させるとともに下方に移動させて、当接部材４０が被救護者２の側頭部８を適度に押圧した状態とする。
【００３２】
このように、仰向けに寝かされた被救護者２の後頭部５を支持する後頭部支持部７と、後頭部５が後頭部支持部７に支持された被救護者２の側頭部８を押圧する側頭部押圧部９とが設けられた本体部６と、本体部６に連結され被救護者２の背部１０を支持する背部支持台１１とを備えた気道確保装置１において、側頭部押圧部９は、側頭部８に当接する当接部材４０と外側の端面にノッチ４７が形成され当接部材４０が取り付けられる一対のブラケット４１，４１とを備えており、ブラケット４１，４１は側頭部８から離れる方向に付勢された状態で平行クランク機構を介して本体部６に連結され、本体部６に移動可能に支持された調節金具５２がノッチ４７に嵌合して固定されるので、被救護者２の後頭部５が後頭部支持部７に支持され、被救護者２の背部１０が背部支持台１１に支持された状態で調節金具５２を操作して、一定の姿勢を保ったまま円弧状の軌跡を描いて移動する当接部材４０の位置を任意に設定することができるので、使用者の負担が小さく短時間で気道確保装置１を作動させることができる。
【００３３】
さらに、後頭部支持部７は、平行クランク機構を介して本体部６に連結され後頭部５を載置する載置部材１５と、本体部６に移動可能に取り付けられ載置部材１５を保持する保持部材１６，１６とを備えており、載置部材１５は保持部材１６，１６に形成されたノッチ３１に嵌合して固定されるので、保持部材１６，１６を移動させることによって、載置部材１５は一定の姿勢を保ったまま円弧状の軌跡を描いて移動するので、被救護者２の体格に合わせて載置部材１５の高さを任意に設定することができる。
【００３４】
さらに、背部支持台１１を本体部６に連結する連結部材は伸縮自在であるので、被救護者２の体格に合わせて背部支持台１１の位置を任意に設定することができる。
【符号の説明】
【００３５】
１    気道確保装置
２    被救護者
３    頭部
４    胴部
５    後頭部
６    本体部
７    後頭部支持部
８    側頭部
９    側頭部押圧部
１０    背部
１１    背部支持台
１５    載置部材
１６    保持部材
１７    載置板
１８    部材
１９    連結部材
２０，３４    底部壁
２１    押さえ金具
２２，５３    底辺
２３，５４    側辺
２４    嵌合辺
２７    孔部
３０    内側側面
３１，４７    ノッチ
３２，４８，５６    凹部
３３，３６    丸棒
３５    長孔
３９    側部壁
４０    当接部材
４１    ブラケット
４２    連結部材
４３    第１支持金具
４４    第２支持金具
４５    取り付け座
４６    上部壁
５２    調節金具
５５    嵌合辺
５９    摘み片
６０    嵌合片
６１    ねじりコイルばね
６２，６７    丸棒
６５    背部支持面
６６    蝶番
６８    後端部
６９    ブラケット
７１    留め金具
７２    前端部
【図１】
2014144090.tif 000003
【図２】
2014144090.tif 000004
【図３】
2014144090.tif 000005
【図４】
2014144090.tif 000006
【図５】
2014144090.tif 000007
【図６】
2014144090.tif 000008
【図７】
2014144090.tif 000009